(57)【要約】【課題】側板と基板とを結合するヒンジ部の挿脱操作機構がコンパクトであり、使い勝手も良好で耐久性を有し、かつ廃棄時にその分別が不要であること。【解決手段】基板１と、その両側部に位置する側板２、２と、これらに取り付けた一対の綴じ管３、３及び一対の綴じ杆４、４と、基板１のヒンジ管５、５に側板２、２のヒンジピン６、６を挿脱操作するための挿脱操作機構７であって、ヒンジピン６、６を一体に構成したスライド片８と、その摺動端面８ｃに摺動当接させた駆動片９ａによりヒンジピン６、６がヒンジ管５、５から離脱する方向に操作するためのカム部材９と、スライド片８をヒンジピン６、６がヒンジ管５、５に挿入する方向にスライドさせるべく作用力を与え、かつカム部材９を定常位置に復帰回動させるべく作用力を与えるバネ部材１０とで構成した挿脱操作機構７とで構成する。【選択図】　図４
2004090444.tif 000002
【特許請求の範囲】
【請求項１】
ファイル用バインダの背表紙部の内面に固設するための基板と、該基板の両側部に相互に対面状態に立ち上がる一対の側板と、該一対の側板の一方の内面から突出させた一対の綴じ管と、該一対の側板の他方の内面から該綴じ管に挿脱自在に挿入させるべく突出させた一対の綴じ杆と、前記基板の両側部に各々固設したヒンジ管と、前記一対の側板の下部に各々配したヒンジピンであって、該基板の両側部のヒンジ管に各々挿入したヒンジピンと、前記一対の側板の内の少なくとも一方の内部に配したヒンジピンのための挿脱操作機構であって、該当する側板のヒンジピンを対応するヒンジ管に挿脱操作する挿脱操作機構とからなるファイル用バインダの綴金具に於いて、
前記挿脱機構を、
前記ヒンジピンを固定した板状のスライド片であって、該ヒンジピンを挿脱方向に移動させるべく、該挿脱方向にスライド移動可能に配したスライド片と、
該スライド片に、これをヒンジピンのヒンジ管への挿入方向である結合方向にスライド移動させるべく作用力を与えるスライド片用バネ部材と、
該スライド片と同一平面内に位置し、該スライド片に構成した摺動端面に摺動当接する駆動片を備えた板状のカム部材であって、該スライド片をヒンジピンがヒンジ管から脱出する離脱方向にスライドさせるべく、該駆動片に該摺動端面を摺動移動させる操作摘みを備えたカム部材と、
前記スライド片にこれを離脱方向にスライドさせるべく作用力を加えた駆動片及び操作摘みを定常位置に復帰させるべく、該カム部材に、復帰方向の作用力を与えるカム用バネ部材と、
で構成し、
かつ以上の全構成要素を金属で構成したファイル用バインダの綴金具。
【請求項２】
前記スライド片に固定したヒンジピンの先端に下部から上部に向かって斜めにカットした形状の復帰用下向き斜面を形成し、かつ前記スライド片の摺動端面の途中に戻り止め段差を形成し、
該摺動端面に沿って前記駆動片を摺動下降させると、該スライド片が前記離脱方向に移動して前記ヒンジピンが前記ヒンジ管から抜け出し、その位置から該駆動片を摺動復帰させると、途中で前記戻り止め段差に係止し、該ヒンジピンの先端の復帰用下向き斜面を該ヒンジ管の入口側端部上縁に圧接すると、該ヒンジピンが離脱方向に移動しながら下降し、これによって該駆動片が該戻り止め段差から外れて定常位置に復帰し、同時に、駆動片による規制がなくなり、該ヒンジピンがヒンジ管に挿入し、スライド片も定常位置に復帰するようになっている請求項１のファイル用バインダの綴金具。
【請求項３】
前記スライド片を、前後二つの方形枠部と、これらの下部間を連結する連結片部と、前部の方形枠部８ａの後上部に形成した摺動端面と、後部の方形枠部の前部に後記カム部材の規制突起と同一高さで向かい合った状態に構成した規制突起とで構成し、
前記ヒンジピンを、前記スライド片の前後の方形枠部に各々一体に設けるものとし、各ヒンジピンの内、前部の方形枠部に設けるヒンジピンは、該方形枠部の前部から前方に延長した上で下方に折り返して構成し、後部の方形枠部に設けるヒンジピンは該方形枠部の後部から後方に延長して構成し、
前記カム部材を、前記スライド片の前後の方形枠部の間に回動自在に配し、定常状態で、その中心軸より上部で前方に向かって突出し、前記スライド片の摺動端面の最上部に当接状態になっている駆動片と、該駆動片より後方上部に立ち上がって側板の上部に突出する操作摘みと、中心軸の高さ位置で後方に突き出した規制突起と、該カム部材が定常状態から時計回り方向に回転するのを防止する逆転防止部であって、その下部の内、定常状態で、前記中心軸の真下から後方側に位置する部位を前記スライド片の連結片部に当接すべく水平直線部に構成してある逆転防止部とで構成し、
前記スライド片用バネ部材及びカム用バネ部材を一つのねじりコイルバネで兼用するものとし、該ねじりコイルバネを前記側板を構成する内板と外板とを結合する二つの結合環部の内、前記スライド片の後部の方形枠部内に位置する結合環部に巻き付け、その一方の腕部を前記後部の方形枠部の後枠に当接係止させ、前記スライド片に対して後方にスライドさせるべく作用力を与え、他方の腕部を前記カム部材に於ける逆転防止部の斜め下向きになっている後部端に当接係止させ、該カム部材に対して時計回り方向に回動させるべく作用力を与えるようにした請求項１又は２のファイル用バインダの綴金具。
【発明の詳細な説明】
【０００１】
【発明の属する技術分野】
本発明は、ファイル用バインダの背表紙部の内面に固設して用いるファイル用バインダの綴金具に関する。
【０００２】
【従来の技術】
２穴のファイル対象紙片を綴じるファイル用バインダの綴金具には、従来より両開き又は片開きのそれが提供されており、いずれのそれも多くはプラスチックと金属の組み合わせによって構成されており、その側板と基板とを着脱自在に結合するヒンジ部の着脱操作機構の構成上の都合等により、着脱可能な方の側板が比較的厚みのある構成となっている。
【０００３】
上記のように、着脱操作機構の構成等の都合により側板が比較的厚みのある構成となっているため、片開きの綴金具の場合はその一方が、両開きの綴金具の場合はその双方が厚みのある構成となり、ファイル用バインダの厚みの割にファイル対象紙片を綴じるためのスペースが少ないと言う不都合を生じているのが実状である。
【０００４】
また特許第２９８０８３５０号のように、測盤の上部中央で操作片を押圧することによってヒンジピンのロックを解除する構造の綴金具も知られているが、このタイプのそれは着脱のたびに係合部が強い摩擦で摺接するので耐久性に問題がある。
【０００５】
更にまたこのようなファイル用バインダもその表紙部又は綴金具のいずれかの部位に損傷が生じる等の理由により、いずれ破棄すべき時期が到来することは避けられず、しかもそのような際に、材質の異なる各部を結合したまま廃棄することは許されず、各部を材質毎に分解し、かつ材質毎に分別して廃棄すべきことが近時の社会的要請である。
【０００６】
このような場合に、綴金具が前記のようなプラスチックと金属の組み合わせに係る構成であることは不適当である。これらの綴金具を特別な道具を使用することなく分解することは容易なことではなく、単なるファイル用バインダの使用者にこのような分解作業をすることを期待するのは現実的ではない。
【０００７】
【発明が解決しようとする課題】
本発明は、以上のような従来のファイル用バインダの綴金具に於ける問題点を解決し、そのいずれやって来る廃棄時の分別を容易にするために金属のみで構成し、かつ側板と基板とを着脱自在に結合するヒンジ構造を着脱操作するためのメカニズムを側板の厚みを増すことのないできるだけ狭い空間中に構成し得ると共に、それ自体に、耐久性もあり、更に使い勝手も良いものである綴金具を提供することを解決の課題とする。
【０００８】
【課題を解決するための手段】
本発明の１は、ファイル用バインダの背表紙部の内面に固設するための基板と、該基板の両側部に相互に対面状態に立ち上がる一対の側板と、該一対の側板の一方の内面から突出させた一対の綴じ管と、該一対の側板の他方の内面から該綴じ管に挿脱自在に挿入させるべく突出させた一対の綴じ杆と、前記基板の両側部に各々固設したヒンジ管と、前記一対の側板の下部に各々配したヒンジピンであって、該基板の両側部のヒンジ管に各々挿入したヒンジピンと、前記一対の側板の内の少なくとも一方の内部に配したヒンジピンのための挿脱操作機構であって、該当する側板のヒンジピンを対応するヒンジ管に挿脱操作する挿脱操作機構とからなるファイル用バインダの綴金具に於いて、
前記挿脱機構を、
前記ヒンジピンを固定した板状のスライド片であって、該ヒンジピンを挿脱方向に移動させるべく、該挿脱方向にスライド移動可能に配したスライド片と、
該スライド片に、これをヒンジピンのヒンジ管への挿入方向である結合方向にスライド移動させるべく作用力を与えるスライド片用バネ部材と、
該スライド片と同一平面内に位置し、該スライド片に構成した摺動端面に摺動当接する駆動片を備えた板状のカム部材であって、該スライド片をヒンジピンがヒンジ管から脱出する離脱方向にスライドさせるべく、該駆動片に該摺動端面を摺動移動させる操作摘みを備えたカム部材と、
前記スライド片にこれを離脱方向にスライドさせるべく作用力を加えた駆動片及び操作摘みを定常位置に復帰させるべく、該カム部材に、復帰方向の作用力を与えるカム用バネ部材と、
で構成し、
かつ以上の全構成要素を金属で構成したファイル用バインダの綴金具である。
【０００９】
本発明の２は、本発明の１のファイル用バインダの綴金具に於いて、前記スライド片に固定したヒンジピンの先端に下部から上部に向かって斜めにカットした形状の復帰用下向き斜面を形成し、かつ前記スライド片の摺動端面の途中に戻り止め段差を形成し、
該摺動端面に沿って前記駆動片を摺動下降させると、該スライド片が前記離脱方向に移動して前記ヒンジピンが前記ヒンジ管から抜け出し、その位置から該駆動片を摺動復帰させると、途中で前記戻り止め段差に係止し、該ヒンジピンの先端の復帰用下向き斜面を該ヒンジ管の入口側端部上縁に圧接すると、該ヒンジピンが離脱方向に移動しながら下降し、これによって該駆動片が該戻り止め段差から外れて定常位置に復帰し、同時に、駆動片による規制がなくなり、該ヒンジピンがヒンジ管に挿入し、スライド片も定常位置に復帰するようになっているファイル用バインダの綴金具である。
【００１０】
本発明の３は、本発明の１又は２のファイル用バインダの綴金具に於いて、前記スライド片を、前後二つの方形枠部と、これらの下部間を連結する連結片部と、前部の方形枠部８ａの後上部に形成した摺動端面と、後部の方形枠部の前部に後記カム部材の規制突起と同一高さで向かい合った状態に構成した規制突起とで構成し、
前記ヒンジピンを、前記スライド片の前後の方形枠部に各々一体に設けるものとし、各ヒンジピンの内、前部の方形枠部に設けるヒンジピンは、該方形枠部の前部から前方に延長した上で下方に折り返して構成し、後部の方形枠部に設けるヒンジピンは該方形枠部の後部から後方に延長して構成し、
前記カム部材を、前記スライド片の前後の方形枠部の間に回動自在に配し、定常状態で、その中心軸より上部で前方に向かって突出し、前記スライド片の摺動端面の最上部に当接状態になっている駆動片と、該駆動片より後方上部に立ち上がって側板の上部に突出する操作摘みと、中心軸の高さ位置で後方に突き出した規制突起と、該カム部材が定常状態から時計回り方向に回転するのを防止する逆転防止部であって、その下部の内、定常状態で、前記中心軸の真下から後方側に位置する部位を前記スライド片の連結片部に当接すべく水平直線部に構成してある逆転防止部とで構成し、
前記スライド片用バネ部材及びカム用バネ部材を一つのねじりコイルバネで兼用するものとし、該ねじりコイルバネを前記側板を構成する内板と外板とを結合する二つの結合環部の内、前記スライド片の後部の方形枠部内に位置する結合環部に巻き付け、その一方の腕部を前記後部の方形枠部の後枠に当接係止させ、前記スライド片に対して後方にスライドさせるべく作用力を与え、他方の腕部を前記カム部材に於ける逆転防止部の斜め下向きになっている後部端に当接係止させ、該カム部材に対して時計回り方向に回動させるべく作用力を与えるようにしたファイル用バインダの綴金具である。
【００１１】
【発明の実施の形態】
本発明は、基本的に、ファイル用バインダの背表紙部の内面に固設する基板と、その両側部に配する一対の側板と、該一対の側板の一方のそれの内面から他方に向けて突出させた一対の綴じ管と、他方の側板の内面から該一対の綴じ管に嵌挿させるべく突出させた一対の綴じ杆と、該基板と一対の側板とをそれぞれ結合するヒンジ部であって、少なくともその一方が基板に固設したヒンジ管と側板に配したヒンジピンとを挿脱自在に構成したヒンジ部と、後者のヒンジ部のヒンジピンを挿脱操作するための挿脱操作機構であって、対応する側板に配した挿脱操作機構とで構成したファイル用バインダの綴金具であり、全ての構成要素を金属で構成したものである。
【００１２】
前記基板は、前記のように、ファイル用バインダの背表紙部に固設するための部材であり、かつ側板をその両側部に立ち上げ構成するための部材であるが、廃棄の時点までは不都合なく前記背表紙部に固設可能であり、廃棄時には容易に該背表紙部から取り外し可能な結合構造であるのが好ましい。
【００１３】
前記側板は、綴金具を両開きに構成する場合は、両方のいずれの側板も内部に前記挿脱操作機構を構成する都合上、それを納めうる収納空間を構成する必要がある。この収納空間は、例えば、内板と外板とを隙間をあけた状態に結合して構成することができる。上記隙間が収納空間となるが、前記挿脱操作機構をできるだけ薄く構成することにより、その隙間を狭く、そして結果として側板を薄く構成することができる。綴金具を片開きに構成する場合は、一方の側板は以上のように構成し、他方は、一枚の金属板で構成することができる。
【００１４】
前記綴じ杆及び綴じ管は、既存のそれと同様で、基本的に一対ずつで構成される。前記綴じ杆は棒状部材であり、綴じ管はこれに外装することができる径のパイプ状部材である。それぞれ一方の側板の内面から他方の側板の内面に向けて平行に突出構成され、前者に後者が嵌挿状態となって、ファイル対象紙片をこれらで綴じるようになっている。
【００１５】
前記ヒンジ部は、前記基板の両側部に構成したヒンジ管と側板の下部に配したヒンジピンとからなるものであり、綴金具を両開きに構成する場合は、両側板の下部に配したヒンジピンをそれぞれ対応するヒンジ管に対して挿脱自在に構成し、かつ両側板の内部にそれぞれのヒンジピンを挿脱操作するための挿脱操作機構を構成する。綴金具を片開きに構成した場合は、開く側の側板を以上と同様に構成し、他方の側板の下部のヒンジピンは対応するヒンジ管に挿入状態を保持するように該側板の下部に固設状態に取り付ける。
【００１６】
前記ヒンジ管は、前記基板の両側部に各々複数個を設けるのが適当である。通常は２個で充分である。前記ヒンジピンは、云うまでもなく、ヒンジ管と同数設ける必要があり、ヒンジ管が２個であれば、当然、ヒンジピンも２個である。
【００１７】
前記挿脱操作機構は、前記ヒンジピンを固定したスライド片と、該スライド片をヒンジピンのヒンジ管への挿入方向に移動させる（定常位置に移動させておく）ためのスライド片用バネ部材と、スライド片の摺動端面に当接摺動させる駆動片及び該駆動片を動作させるための操作摘みを備えたカム部材と、該カム部材を定常位置に復帰させるためのカム用バネ部材とで構成するものである。
【００１８】
前記スライド片は、これにヒンジピンを固定するものであるが、ヒンジピンは別体に構成したそれを取り付けて固定するのではなく、これに一体に構成するものとしても良い。例えば、該スライド片とヒンジピンとは金属板材を打ち抜いて一体に構成するのが適当である。
【００１９】
また前記スライド片は、ヒンジピンのヒンジ管への挿脱方向にスライドし得るものである必要がある関係上、前記側板の内部でその長さ方向にスライド移動できるように配する。ヒンジピンは、スライド片のスライド移動によって挿入方向に移動した際に前記ヒンジ管に挿入できるように、該側板が最下部まで下降している状態で、該ヒンジ管と同一軸心上を移動しうるように配する。例えば、側板の下部の該当する部位に、該側板を最下部まで下降させた際に前記ヒンジ管が侵入し得る切欠部を形成しておき、ヒンジピンは、該切欠部に侵入したヒンジ管と同一軸線上で、側板のその手前側の部位から進退できるように配する。ヒンジ管が基板の両側部に各々２個ずつ配してある場合は、側板の対応する部位に上記の切欠部を２個構成し、二つのヒンジピンを同様に配することとする。該ヒンジピンはいずれもスライド片に一体に構成する等により固定しておくものであるのは云うまでもない。
【００２０】
該スライド片は、前記スライド片用バネ部材により、それに固定してあるヒンジピンをヒンジ管に挿入する方向に移動するように作用力を与えておく。該スライド片用バネ部材は、このような作用を果たしうるものであり、狭い空間内に配置可能なものであれば特定のそれに限定されない。
【００２１】
また該スライド片には、その一部に前記摺動端面を構成する。この摺動端面は、前記駆動片の先端をこれに当接摺動させることで、該スライド片のスライド移動を生じさせるための構成である。前記操作摘みを操作することで前記カム部材を回転させ、該駆動片の先端を該摺動端面上を摺動させると、スライド片はヒンジピンがヒンジ管から抜ける離脱方向にスライド移動し、その後、該カム部材をこれと逆方向である結合方向に回転させると、該スライド片は前記スライド片用バネ部材の作用でヒンジピンがヒンジ管に挿入する結合方向にスライド移動するように構成する。前記操作摘みによる操作は手指によって行うものであるが、該カム部材の逆方向の回転は前記カム用バネ部材の作用によって行われるようになっている。
【００２２】
前記摺動端面には途中に戻り止め段差が形成してあり、前記操作摘みの手指による操作を止め、その自由な動きを許容すると、前記したように、前記カム部材は、前記カム用バネ部材の作用によって逆方向に回転することになるが、前記駆動片の先端がその逆方向の回転に伴って該摺動端面を逆戻り摺動し、該戻り止め段差に至ると、これに係止してその逆戻り摺動を停止することになる。このとき、前記ヒンジピンはその先端がヒンジ管の先端部より僅かに該ヒンジ管側に移動した状態にまで戻っており、該当するヒンジピンの配してある側板がヒンジ管より高い位置まで引き上げてあれば、単にこれを下降させるのみでは、該ヒンジピンの先端がヒンジ管の先端部に載った状態となる位置関係になるようになっている。
【００２３】
なお前記戻り止め段差は、このように逆戻りの際には該駆動片の先端を係止させるが、進行摺動の際にはその上を滑らかに通過してしまうように構成されている。
【００２４】
前記ヒンジピンの先端には、ヒンジピンの先端に下部から上部に向かって斜めにカットした形状の復帰用下向き斜面が形成してあり、前記駆動片の先端が前記スライド片の摺動端面の戻り止め段差に係止した状態のとき、上昇させてあった側板を下降させると、該ヒンジピンは、その先端部に形成してある復帰用下向き斜面の途中が前記ヒンジ管の先端部上端縁に載った状態となるようになっている。この状態で該側板を下降させるべく押し下げると、該復帰用下向き斜面の作用により、該ヒンジピンは前記スライド片用バネ部材に抗してヒンジ管から抜ける方向（離脱方向）に移動するようになっている。即ち、側板を押し下げることにより、該復帰用下向き斜面が前記ヒンジ管の先端部上端縁をその斜面の角度でヒンジピンをヒンジ管から抜く方向にスライドすることとなるものである。
【００２５】
こうしたスライド片のヒンジピンを抜く方向へのスライド移動により、前記カム部材の駆動片の先端は、前記摺動端面の戻り止め段差から外れ、自由な回動が許容され、前記カム用バネ部材の作用により定常位置まで復帰するようになっている。またこうしてスライド片も駆動片と摺動端面の戻り止め段差の係止による規制がなくなるため、自由なスライド移動が可能となり、前記スライド片用バネ部材の作用により復帰方向（結合方向）に自由にスライド移動することとなる。このとき、前記のような動作で、ヒンジピンは既にヒンジ管と同軸となる位置まで降下していることとなり、それ故、このとき該ヒンジピンはヒンジ管に挿入することとなり、対応する側板はその下部で該ヒンジピン及びヒンジ管を介して基板の該当する側部に結合状態となるようになっている。
【００２６】
前記ヒンジピンをこれに固定し、かつ摺動端面を備えたスライド片と、駆動片及び操作摘みを備えたカム部材と、スライド片用バネ部材と、カム用バネ部材と、側板と、基板及びこれに固設したヒンジ管とは、以上のような関係を有するように構成されているものである。
なお前記スライド片用バネ部材とカム用バネ部材とは一つのバネ部材をスライド片用及びカム部材用として兼用するように構成することもできるのは云うまでもない。
【００２７】
従って本発明のファイル用バインダの綴金具によれば、その基板でファイル用バインダの背表紙部の内面に固設して使用すれば、両開き又は片開きのそれとして良好に使用することができる。
【００２８】
例えば、ファイル対象紙片をこれに綴じるために、一方の側板を基板から取り外す場合は、前記操作摘みを離脱方向に操作すると、カム部材がその方向に回動し、これに設けた駆動片がスライド片の摺動端面を摺動動作することにより、これに伴ってスライド片をヒンジピンを離脱方向にスライド移動させ、基板の側部に配してあるヒンジ管からヒンジピンを抜くこととなり、側板の下部と基板の側部との結合が解除され、該側板は上方に引き上げることができることとなる。
【００２９】
こうして該当する側板を引き上げた上で、綴じ管から綴じ杆を引き抜くことにより、該側板を他方の側板と分離状態にし、次いで、分離状態にある綴じ管と綴じ杆の内、綴じ管をファイル対象紙片の内縁に対応する間隔で開口してある綴じ孔に挿入貫通させ、再度、該綴じ管に綴じ杆を挿入して両側板を結合し、ファイル対象紙片をこの間に綴じた状態とする。
【００３０】
なお、上記のようにして、再度結合した側板は、前記基板からの結合解除に際して、前記操作摘みの離脱操作を止めた時点で、前記したように、前記カム部材がカム用バネ部材の作用で戻り回動をし、かつスライド片もスライド片用バネ部材の作用で復帰方向（結合方向）のスライド移動をすることとなるが、該カム部材に構成した駆動片がスライド片の摺動端面を戻り摺動する際に、その途中で前記戻り止め段差に係止し、この位置で停止する。こうして前記カム部材も前記スライド片もこの位置で停止状態となっている。先に述べたように、このとき、前記ヒンジピンの先端はヒンジ管の入口端よりその内部方向（結合方向）に僅かに移動した位置関係となっているものである。
【００３１】
従って、前記のように、再度綴じ杆を綴じ管に挿入して両側板を結合し、ファイル対象紙片を綴じた上で、引き上げた方の側板を再度対応する基板の側部側に下降させると、その下部に位置するヒンジピンは、その先端の復帰用下向き斜面がヒンジ管の先端上縁に載る状態となる。このまま該側板を押し下げると、該復帰用下向き斜面の作用により、該ヒンジピンはヒンジ管から離れる離脱方向に移動し、これに伴うスライド片の同方向への移動により、その摺動端面の戻り止め段差から前記駆動片が外れ、カム部材はカム用バネ部材の作用により定常位置まで復帰回動することとなる。
【００３２】
こうして該駆動片が摺動端面の戻り止め段差から外れることにより、スライド片もその動作を規制するものがなくなり、前記スライド片用バネ部材の作用により復帰方向（結合方向）に自由に移動することとなる。前記ヒンジピンは、前記のようにして、最下部まで下降し、前記ヒンジ管と同一軸線上に位置するようになると共に、スライド片の上記復帰方向への移動により、ヒンジ管の中に戻り移動して挿入状態となり、該側板と対応する基板の側部とはヒンジ結合することとなる。
【００３３】
従って本発明のファイル用バインダの綴金具によれば、ファイル対象紙片の綴じ込み又はその取り外し操作は、従来のこの種の綴金具以上に簡単かつ確実に行えるものであり、動作も安定しているものである。
また構成要素であるスライド片及びカム部材を板状に構成したため、これをその収納空間に納める側板を薄いものに構成し得、ファイル用バインダを効率よく利用できるものにすることができる。
更に綴金具を全て金属で構成したため、ファイル用バインダの廃棄の際に、この綴金具と表紙部とを分離するのみで、材質別の分離を完了させることができることとなる。
【００３４】
【実施例】
以下、図面を参照しつつ本発明の実施例を説明する。
図１〜図８は本発明を両開きの綴金具に適用した実施例を示しており、図１は一方の側板を基板との結合を解除して引き上げた状態を示している綴金具の斜視図、図２は綴金具の側面説明図、図３は綴金具の底面図、図４（ａ）はヒンジピンとヒンジ管とが結合している状態のヒンジ部及びその挿脱操作機構を示す綴金具の側面説明図、図４（ｂ）はヒンジピンとヒンジ管とが分離した状態のヒンジ部及びその挿脱操作機構を示す綴金具の側面説明図、図４（ｃ）はヒンジピンとヒンジ管とが分離した後ヒンジピンが途中の再結合開始位置まで移動した状態のヒンジ部及びその挿脱操作機構を示す綴金具の側面説明図、図５はカム部材の拡大側面説明図、図６は再結合開始位置まで戻っているヒンジピンとヒンジ管との関係を示す一部切欠拡大側面説明図、図７は内部の挿脱操作機構を省略した側板の結合環部に於ける拡大縦断面図、図８は側板とヒンジ管との結合部位を示す一部切欠拡大断面図である。
【００３５】
この実施例の綴金具は、図１〜図３に示すように、基本的に、平面から見てほぼ長方形の基板１と、その両側部に配する一対の側板２、２と、一方の側板２の内面から他方の側板２に向けて突出させた一対の綴じ管３、３と、他方の側板２の内面から該一対の綴じ管３、３に嵌挿させるべく突出させた一対の綴じ杆４、４と、前記基板１と上記一対の側板２、２とを各々結合するヒンジ部であって、基板１の両側部に各々直列に配した２個のヒンジ管５、５及び前記各側板２、２の下部に該各ヒンジ管５、５にそれぞれ挿脱自在に嵌挿すべく進退自在に配したヒンジピン６、６で構成したヒンジ部と、該ヒンジ部のヒンジピン６、６を挿脱操作するための挿脱操作機構７であって、各側板２、２内に配した挿脱操作機構７とで構成したファイル用バインダの綴金具であり、全ての構成要素を金属で構成したものである。
【００３６】
前記基板１は、ファイル用バインダの背表紙部の内面に固設するための部材であり、かつ前記一対の側板２、２をその両側部に立ち上げ構成するための部材である。
【００３７】
この基板１には、４個の取付孔１ａ、１ａ…が開口してあるが、これらの取付孔１ａ、１ａ…は、図１及び図３に示すように、孔本体１ａ１に同心円状に円弧状の切り込み１ａ２を形成し、更に該孔本体１ａ１から該円弧状の切り込み１ａ２まで届く一対の連続切欠１ａ３を形成して構成したものであり、該基板１をファイル用バインダの背表紙部内面に取り付ける場合は、該取付孔１ａ、１ａ…及び上記背表紙部の対応する結合孔にリベットを貫通させかつ加締めて固定するものであって、通常の使用には問題のない強度を持った取り付け状態を保持することができる。他方、廃棄時には、マイナスドライバ状の部材を該背表紙部と該基板１との間に挿入して後者を持ち上げると、前記取付孔１ａ、１ａ…が該切り込み１ａ２等の部位で損傷を生じ、容易に該基板１を該背表紙部から取り外すことができるものである。
【００３８】
また該基板１の両側部には、図１及び図２に示すように、各々２個のヒンジ管５、５を構成する。各ヒンジ管５は、図１に示すように、基板１の側部で、端部から僅かに内側の部分を立ち上げて環状に丸めて構成したものであり、これより端部側にはこれと平行に前記側板２の内板２ａを適正位置にガイドする案内片１ｂを立ち上げ、これより内側には側板２の下端を受ける座片１ｃを若干立ち上げた上で外方に屈曲して構成したものである。
【００３９】
前記側板２、２は、この実施例では、両開きに構成することとしたので、相互に対称の構成となる。
該側板２は、図７に示すように、前記内板２ａと前記外板２ｂとを前記挿脱操作機構７収納用の収納空間２ｃを形成すべく若干の隙間をあけて結合して構成したものである。また該側板２は、図１及び図２に示すように、これを前記基板２の側部にヒンジ部を介して結合すべく配置した場合に前記ヒンジ管５、５がその位置に納まるように、該当する下部にヒンジ管用切欠部２ｅ、２ｅを形成しておくものとする。
【００４０】
前記綴じ管３、３は、前記側板２の内面側から相互に同一高さかつ所定間隔で平行に突出させる。例えば、図８に示すように、まず、該側板２の該当する部位の内板２ａ及び外板２ｂをそれぞれ内側に絞って相互に当接させ、更にその部位の中心に綴じ管３の径に相当する連結孔２ｄを穿設し、かつ該綴じ管３の基部を該連結孔２ｄに挿入する。更に該基部の外端側の部位及び該連結孔２ｄの内縁に接する部位をそれぞれ加締めて該連結孔２ｄの内外の内縁を挟持状態にして綴じ管３を該部位に固定するものである。
【００４１】
前記綴じ杆４、４も、側板２の内板２ａ及び外板２ｂに同様に構成した連結孔に、やや内側に挟持環を固定した基部を挿入し、その外端部を加締めてその加締め拡大部と該挟持環とで該綴じ杆４の基部を側板２の該当する部位の連結孔に固定するものである。前記綴じ管３、３と該綴じ杆４、４とは、一方の側板２と他方の側板２とに対称位置に配し、前者に後者を挿入した状態で、両側板２、２が前記基板１の両側部に取り付けられる位置関係となるようになっている。
【００４２】
前記ヒンジ部は、前記基板１と前記一対の側板２、２とを各々着脱自在かつ起伏自在に結合する部材であり、既述のように、該基板１の両側に各々一対ずつ構成したヒンジ管５、５と該側板２、２に各々一対ずつ構成したヒンジピン６、６とで構成したものである。
【００４３】
前記ヒンジ管５は既述の通りの構成であり、ヒンジピン６、６は、図２及び図３（ａ）、（ｂ）、（ｃ）に示すように、前記挿脱操作機構７の一部を構成するスライド片８と一体に構成する。該スライド片８は、後述するように、金属板材を打ち抜いて構成したものであり、前方（図４中左側を前、右側を後と云う。以下同じ）のヒンジピン６は、該スライド片８の後述する前部の方形枠部８ａの前端から前方のヒンジ管５の上を通過して前方に腕を伸ばし、これを最前部で下方に折返して構成したものであり、側板２を最下部に下降させた状態で、その軸心がヒンジ管５、５のそれと一致し、かつ該スライド片８を後退させた定常位置で前方のヒンジ管５に挿入状態となり、前方に最大限度進出させた状態で該ヒンジ管５から抜け出すような前後方向の位置関係となっている。
【００４４】
また後方のヒンジピン６は、前記スライド片８の後述する後部の方形枠部８ａの後端最下部から後方に向かって延長して構成したものであり、側板２を最下部に下降させた状態で、その軸心がヒンジ管５、５のそれと一致し、かつ該スライド片８を後退させた定常位置で後方のヒンジ管５に挿入状態となり、前方に最大限度進出させた状態で該ヒンジ管５から抜け出すような前後方向の位置関係となっている。
【００４５】
また前後のヒンジピン６、６は、図４（ａ）、（ｂ）、（ｃ）及び図６に示すように、それぞれその先端に下部から上部に向かって斜めにカットした形状の復帰用下向き斜面６ａを形成する。この復帰用下向き斜面６ａは、後述するように、ヒンジピン６、６とヒンジ管５、５との結合を解除して対応する側板２を基板１の該当する側部から離脱させて上昇させた後、再度、結合させる際に、該当する側板２を下降させ、各ヒンジピン６、６の復帰用下向き斜面６ａをヒンジ管５、５の入口側の端部上縁に押し当て、該ヒンジピン６、６を前方に移動させ、これらとヒンジ管５、５との再結合を可能にさせるためのものである。
【００４６】
前記挿脱操作機構７は、前記ヒンジピン６、６をこれと一体に構成したスライド片８と、該スライド片８を操作するためのカム部材９と、該スライド片８を後退方向にスライドさせるべく作用力を与え、かつ該カム部材９を復帰方向（時計回り方向）に回動させるべく作用力を与えるバネ部材１０とで構成したものである。
【００４７】
前記スライド片８は、先に述べたように、前記側板２の収納空間２ｃに収納配置するものであり、図４（ａ）、（ｂ）、（ｃ）に示すように、前後の方形枠部８ａ、８ａとこれらの下部間を連結する連結片部８ｂと、前部の方形枠部８ａの後上部に形成した摺動端面８ｃと、後部の方形枠部８ａの前部に後記カム部材９の規制突起９ｄと同一高さで向かい合った状態に構成した規制突起８ｄとからなるものであり、先に述べたように、更に該スライド片８に於ける前部の方形枠部８ａの前端及び後部の方形枠部８ａの後端に各々ヒンジピン６を延長構成したものである。
【００４８】
前記摺動端面８ｃは、前記カム部材９の駆動片９ａの先端がこれに摺動当接する構成であり、図４（ａ）、（ｂ）、（ｃ）に示すように、該カム部材９を反時計回りに回動摺動させることで、スライド片８を前進方向にスライドさせることができるようになっているものである。該摺動端面８ｃの途中には、同図に示すように、戻り止め段差８ｃ１が形成してあり、前記カム部材９を反時計回りに回動させた場合は、該駆動片９ａはその上をスムーズに通過してそれより下方に移動することができるが、そのように回動させた後、該カム部材９を前記バネ部材１０の作用により時計回り方向に回動させようとすると、その駆動片９ａの先端が該戻り止め段差８ｃ１に係止してそれ以上の時計回り方向の回動ができなくなるようになっている。
【００４９】
前記スライド片８は、前記カム部材９を反時計回りに回動させて、その駆動片９ａを前記摺動端面８ｃの最下部まで摺動させると、その前後に構成したヒンジピン６、６が、図４（ｂ）に示すように、前記ヒンジ管５、５から抜け出るまで前進し、この後、該カム部材９を前記バネ部材１０の作用により時計回り方向に回動させると、その駆動片９ａは、該摺動端面８ｃを逆方向に戻り摺動するが、前記のように、前記戻り止め段差８ｃ１に係止してその回動をそこで停止するようになっている。このとき、前記スライド片８は、その前後に構成したヒンジピン６、６の各先端の復帰用下向き斜面６ａの途中が対応するヒンジ管５、５の入口側の端部縁と対応関係になる位置まで後退し、その位置で停止状態となる。前記戻り止め段差８ｃ１は、該摺動端面８ｃに於いて、そのような関係になるように位置決めする。
【００５０】
この状態から、該当する側板２を下降させ、図６に示すように、各ヒンジピン６、６の復帰用下向き斜面６ａをヒンジ管５、５の入口側の端部上縁に押し当てると、該復帰用下向き斜面６ａの作用により該ヒンジピン６、６は、図４（ｂ）に示す位置、即ち、その先端がヒンジ管５、５の入口直前に移動するまで前進し、かつ下降するようになっている。このとき、これによってスライド片８が前進し、該摺動端面８ｃの戻り止め段差８ｃ１から前記駆動片９ａの先端が外れ、該スライド片８は、これによって、該駆動片９ａによる規制がなくなるので、前記バネ部材１０の作用によって後退スライドし、これに伴って前記ヒンジピン６、６はそれぞれヒンジ管５、５に挿入することとなるものである。
【００５１】
なおまた図中２ｆは、前記側板２の底板であり、前記スライド片８の下部がこの上をスライド移動する。
【００５２】
前記カム部材９は、図２及び図４（ａ）、（ｂ）、（ｃ）に示すように、前記スライド片８の前後の方形枠部８ａ、８ａの間の位置に於いて、前記側板２の内板２ａ及び外板２ｂに回動自在に軸着したものであり、定常状態（ヒンジピン６、６がそれぞれヒンジ管５、５に挿入している状態）に於いて、図２、図４（ａ）、（ｂ）、（ｃ）及び図５に示すように、その中心軸９ｂより上部で前方に向かって突出し、前記スライド片８の摺動端面８ｃの最上部に当接状態になっている駆動片９ａと、これより僅かに後方上部に立ち上がっており、側板２の上部に突出する操作摘み９ｃと、中心軸９ｂの高さ位置から後方に突き出した規制突起９ｄと、下部に膨らむ逆転防止部９ｅとからなるものである。
【００５３】
前記操作摘み９ｃは、側板２の上部中央に突出するこれを前方に押す操作をすることにより、中心軸９ｂを中心にカム部材９を反時計回りに回動させることができるようになっている。前記したように、これによって前記駆動片９ａが前記摺動端面８ｃを下降方向に摺動移動して、スライド片８を前方にスライド移動させるようになっており、このような駆動片９ａの作用については既に述べた通りである。
【００５４】
前記規制突起９ｄは、前記し、図４（ａ）に示すように、スライド片８の後の方形枠部８ａの前部から突出させた規制突起８ｄと定常状態で対面状態になっているものであり、これは、この綴金具に、これを取り付けたファイル用バインダを落下させる等により大きなショックを与えた場合に、そのショックでスライド片８が瞬間的にであれ、ヒンジピン６、６をヒンジ管５、５から離脱させる程に前方に移動するようなことがないように、その直前で、相互の規制突起８ｄ、９ｄを当接させ、これを規制するようになっているものである。
【００５５】
前記逆転防止部９ｅは、図２、図４（ａ）及び図５に示すように、中心軸９ｂの中心真下から後方に向かって前記スライド片８の連結片部８ｂの上端に当接する水平直線部に構成し、かつ中心軸９ｂの中心真下から前方側は必要な範囲で該中心軸９ｂを中心とする円弧状に構成し、これによって該カム部材９の定常状態からの時計回り方向の回転を防止し、他方、反時計回りの回転は許容するようにしているものである。
【００５６】
また前記逆転防止部９ｅは、このように、カム部材９中に於ける他の構成部位と比較して充分大きく構成し、他の構成部位との重量差を大きくすることにより、前記のような落下等による大きなショックを受けても該カム部材９が定常状態を維持し、スライド片８を前方に押すような問題を生じないように配慮してあるものでもある。
【００５７】
前記バネ部材１０は、図２及び図４（ａ）、（ｂ）、（ｃ）に示すように、前記側板２を構成する内板２ａと外板２ｂとを結合する二つの結合環部２ｇ、２ｇの内、前記スライド片８の後の方形枠部８ａ内を通過する結合環部２ｇに巻き付けたねじりコイルバネで構成したものであり、その一方の腕部１０ａを前記後の方形枠部８ａの後枠に当接係止させ、前記スライド片８に対して後方にスライドさせるべく作用力を与え、他方の腕部１０ｂを前記カム部材９に於ける逆転防止部９ｅの斜め下向きになっている後部端に当接係止させ、該カム部材９に対して時計回り方向に回動させるべく作用力を与えているものである。
【００５８】
従ってこの実施例のファイル用バインダの綴金具によれば、その基板１でファイル用バインダの背表紙部の内面に固設して使用すれば、両開きのそれとして良好に使用することができる。該基板１の上記背表紙部の内面への結合は、前記したように、これに構成してある４個の取付孔１ａ、１ａ…及び背表紙部に開口してある結合孔を利用してリベット等により簡単に行うことができる。
【００５９】
ファイル対象紙片をこの綴金具に綴じるために一方の側板２を基板１から取り外す場合は、前記操作摘み９ｃを前方に押しながら該当する側の側板２を引き上げれば良い。図１は、このようにして一方の側板２を引き上げた状態を示している。
【００６０】
操作摘み９ｃは定常状態では、図２及び図４（ａ）に示すように、後端が直立した状態になって側板２の上部から露出している。この状態で、上記のように、操作摘み９ｃを前方に押すと、カム部材９はその操作により反時計回り方向に回動し、図４（ｂ）に示すように、該カム部材９に構成してある駆動片９ａは前記摺動端面８ｃを摺動下降し、前記戻り止め段差８ｃ１を越えて、該摺動端面８ｃの最下部まで摺動移動する。これによって該摺動端面８ｃを構成しているスライド片８は前方に押され、同図に示すように、その下部前後に構成してあるヒンジピン６、６がそれぞれ基板１の該当する側部に構成してあるヒンジ管５、５から抜ける出て、該側板２の下部と基板１の側部とのヒンジ部による結合が解除され、該当する側の側板２は、図１に示すように、上方に引き上げられることとなる訳である。
【００６１】
こうして該当する側板２を引き上げた上で、一般の用法に従って、綴じ管３、３から綴じ杆４、４を引き抜くことにより、該側板２を他方の側板２と分離状態にし、次いで、分離状態にある綴じ管３、３と綴じ杆４、４の内、綴じ管３、３をファイル対象紙片の内縁に開口してある綴じ孔に挿入貫通させ、再度、該綴じ管３、３に綴じ杆４、４を挿入して両側板２、２を結合し、ファイル対象紙片をこの間に綴じた状態にする。
【００６２】
なお、以上のようにして、再度綴じ管３、３及び綴じ杆４、４を介して結合した側板２は、前記基板１からの結合解除に際して、前記操作摘み９ｃの結合解除操作をした時点、即ち、前方にこれを押す操作を止めた時点で、前記したように、前記カム部材９はバネ部材１０の作用で時計回り方向の戻り回動をし、かつスライド片８も同じくバネ部材１０の作用で後退方向のスライド移動をすることとなるが、該カム部材９に構成した駆動片９ａがスライド片８の摺動端面８ｃを戻り摺動する際に、その途中で前記戻り止め段差８ｃ１に係止し、この位置で停止する。こうして前記カム部材９も前記スライド片８もこの位置で停止状態となっている。このとき、前記ヒンジピン６、６の先端はヒンジ管５、５の入口端より僅か後方に戻った位置関係となっているものである。図４（ｃ）はこの状態を示している。
【００６３】
従って、前記のように、再度綴じ杆４、４を綴じ管３、３に挿入して両側板２、２をこれらを介して結合し、ファイル対象紙片を綴じた上で、引き上げた方の側板２を再度対応する基板１の側部側に下降させると、その下部に位置するヒンジピン６、６は、図６に示すように、その先端の復帰用下向き斜面６ａがヒンジ管５、５の先端開口部の上縁に載る状態となる。
【００６４】
このまま該側板２を押し下げると、該復帰用下向き斜面６ａの作用により、該ヒンジピン６、６は前方に移動し、これに伴うスライド片８の前方への進出移動により、その摺動端面８ｃの戻り止め段差８ｃ１から前記駆動片９ａが外れ、前記カム部材９は前記バネ部材１０の作用により、図２、図４（ａ）及び図５に示すように、定常位置まで復帰回動することとなる。
【００６５】
こうして該駆動片９ａが摺動端面８ｃの戻り止め段差８ｃ１から外れると、スライド片８にもその動作を規制するものがなくなり、前記バネ部材１０の作用により復帰方向に自由に移動できることとなる。前記ヒンジピン６、６は、この時点で、前記のようにして、最下部まで下降し、前記ヒンジ管５、５と同一軸線上に位置しているので、スライド片８の上記復帰方向への移動により、ヒンジ管５、５中に戻って挿入状態となり、該側板２と基板１の対応する側部とはヒンジ結合することとなる。
【００６６】
従ってこの実施例のファイル用バインダの綴金具によれば、ファイル対象紙片の綴じ込み又はその取り外し操作は従来のこの種の綴金具以上に簡単かつ確実に行えるものである。また挿脱操作機構７のスライド片８及びカム部材９に規制突起８ｄ、９ｄを設け、かつカム部材１０の重量バランスを適切に設定したことにより、この綴金具を取り付けたファイル用バインダを落下させる等により大きなショックを与えても、無用にヒンジピン６、６とヒンジ管５、５との結合が解除されるような問題も生じない。
【００６７】
更に挿脱操作機構７を構成するスライド片８及びカム部材９を板状に構成したため、これをその収納空間２ｃに納める側板２を薄いものに構成し得ることとなり、ファイル用バインダを効率よく利用できるものにすることができる。
また綴金具はその全てを金属で構成したため、ファイル用バインダの表紙部と分離するのみで、材質別の分離が可能であり、廃棄の際の処理が極めて簡単になる。
【００６８】
【発明の効果】
本発明の１ファイル用バインダの綴金具によれば、ファイル対象紙片の綴じ込み又はその取り外し操作は、従来のこの種の綴金具以上に簡単かつ確実に行えるものであり、動作も安定しているものである。
また構成要素であるスライド片及びカム部材を板状に構成したため、これをその収納空間に納める側板を薄いものに構成し得、ファイル用バインダを効率よく利用できるものにすることができる。
更に綴金具を全て金属で構成したため、ファイル用バインダの廃棄の際に、この綴金具と表紙部とを分離するのみで、材質別の分離を完了させることができることとなる。
【００６９】
本発明の２のファイル用バインダの綴金具によれば、本発明の１のそれと同様の全ての効果に加えて、離脱させた側板の基板の側部への再結合がより簡単になるものである。
【図面の簡単な説明】
【図１】一方の側板を基板との結合を解除して引き上げた状態を示している一実施例の綴金具の斜視図。
【図２】一実施例の綴金具の側面説明図。
【図３】一実施例の綴金具の底面図。
【図４】（ａ）はヒンジピンとヒンジ管とが結合している状態のヒンジ部及びその挿脱操作機構を示す一実施例の綴金具の側面説明図。
（ｂ）はヒンジピンとヒンジ管とが分離した状態のヒンジ部及びその挿脱操作機構を示す一実施例の綴金具の側面説明図。
（ｃ）はヒンジピンとヒンジ管とが分離した後ヒンジピンが途中の再結合開始位置まで移動した状態のヒンジ部及びその挿脱操作機構を示す一実施例の綴金具の側面説明図。
【図５】一実施例の綴金具のカム部材の拡大側面説明図。
【図６】再結合開始位置まで戻っている一実施例の綴金具のヒンジピンとヒンジ管との関係を示す一部切欠拡大側面説明図。
【図７】一実施例の綴金具の内部の挿脱操作機構を省略した側板の結合環部に於ける拡大縦断面図。
【図８】一実施例の綴金具の側板とヒンジ管との結合部位を示す一部切欠拡大断面図。
【符号の説明】
１　　基板
１ａ　取付孔
１ａ１　孔本体
１ａ２　円弧状の切り込み
１ａ３　連続切欠
１ｂ　案内片
１ｃ　座片
２　　側板
２ａ　内板
２ｂ　外板
２ｃ　収納空間
２ｄ　連結孔
２ｅ　ヒンジ管用切欠部
２ｆ　側板の底板
２ｇ　結合環部
３　　綴じ管
４　　綴じ杆
５　　ヒンジ管
６　　ヒンジピン
６ａ　復帰用下向き斜面
７　　挿脱操作機構
８　　スライド片
８ａ　方形枠部
８ｂ　連結片部
８ｃ　摺動端面
８ｃ１　戻り止め段差
８ｄ　スライド片の規制突起
９　　カム部材
９ａ　駆動片
９ｂ　中心軸
９ｃ　操作摘み
９ｄ　カム部材の規制突起
９ｅ　逆転防止部
１０　バネ部材
１０ａ　バネ部材の一方の腕部
１０ｂ　バネ部材の他方の腕部
【図１】
2004090444.tif 000003
【図２】
2004090444.tif 000004
【図３】
2004090444.tif 000005
【図４】
2004090444.tif 000006
【図５】
2004090444.tif 000007
【図６】
2004090444.tif 000008
【図７】
2004090444.tif 000009
【図８】
2004090444.tif 000010